(57)【特許請求の範囲】
【請求項１】
上面を用紙のセット面とした盤体の中央部に凹溝を設け、
この凹溝内に製本用ホッチキスを固定するとともに、
この製本用ホッチキスを挟んで両側には、種々の大きさの用紙の角部に密接可能な直角部が形成された複数対のＬ字状の用紙固定枠を、各々跳ね上げ自在に取り付けたことを特徴とする中綴じ製本装置。
【請求項２】
用紙固定枠の直角部は、セットした用紙の中央部に針打ちするように位置合わせする凹溝の長手方向と直角な第１片部と、
用紙の上下方向の所定位置に針打ちするよう位置合わせする凹溝の長手方向と平行な第２片部からなるものである請求項１に記載の中綴じ製本装置。
【請求項３】
用紙固定枠は、蝶番で連結されて跳ね上げ自在となっている請求項１または２に記載の中綴じ製本装置。
【請求項４】
盤体の両側縁部には壁部が立設されている請求項１〜３のいずれかに記載の中綴じ製本装置。
【発明の詳細な説明】
【技術分野】
【０００１】
本発明は、冊子用に束ねた用紙を製本用ホッチキスにより綴じて、いろいろなサイズの本に容易に製本することができる中綴じ製本装置に関するものである。
【背景技術】
【０００２】
従来から、各家庭や個人事業主、中小企業等においては、冊子用に束ねた用紙を製本用ホッチキスにより綴じて安価に冊子の製本をすることが行われていた。前記製本用ホッチキスとしては、例えば特許文献１に示されるように、長い上下グリップを有する構造からなり用紙の中央部に針打ちができるものが種々提案されている。前記製本用ホッチキスによれば、両面印刷した用紙の中央部に針打ちした後、用紙を針の線上に沿って二つ折りするだけの手順で冊子とすることができる。
【０００３】
しかしながら、製本用ホッチキスに対して用紙の中央部で針打ちできるように正確に位置合わせすることは難しい作業であり、調整に長時間要するという問題点があった。更に、前記針打ちは上下に２個以上行う必要があるが、均等な感覚で針打ちすることは難しくて定規で測る等の煩わしい作業が必要になるという問題点もあった。
【０００４】
そこで、例えば特許文献２や特許文献３に示されるように、２個の製本用ホッチキスを備えており位置決めセットした用紙に対して所定の上下位置に２個の針打ちを行えるようにしたものが提案されている。
しかしながら、２個の製本用ホッチキスを備えており装置が複雑化かつ大型化するという問題点や、用紙を位置合わせしてセットする作業がきわめて煩雑であるという問題点があった。
【先行技術文献】
【特許文献】
【０００５】
【特許文献１】特開平９−１７４４５９号公報
【特許文献２】特開２００６−１８７８８２号公報
【特許文献３】実開平６−３５７２号公報
【発明の概要】
【発明が解決しようとする課題】
【０００６】
本発明は上記のような問題点を解決して、冊子用に束ねた用紙を製本用ホッチキスにより綴じて製本する場合に、用紙の位置合わせを簡単かつ正確に行うことができ、また種々のサイズの本に容易に製本することができ、更にはコンパクトな装置で保管も容易にすることができる中綴じ製本装置を提供することを目的とするものである。
【課題を解決するための手段】
【０００７】
上記課題を解決するためになされた本発明の中綴じ製本装置は、上面を用紙のセット面とした盤体の中央部に凹溝を設け、
この凹溝内に製本用ホッチキスを固定するとともに、
この製本用ホッチキスを挟んで両側には、種々の大きさの用紙の角部に密接可能な直角部が形成された複数対のＬ字状の用紙固定枠を、各々跳ね上げ自在に取り付けたことを特徴とするものである。
【０００８】
好ましい実施形態によれば、前記用紙固定枠の直角部は、セットした用紙の中央部に針打ちするように位置合わせする凹溝の長手方向と直角な第１片部と、
用紙の上下方向の所定位置に針打ちするよう位置合わせする凹溝の長手方向と平行な第２片部からなるものが好ましい。
【０００９】
その他の好ましい実施形態によれば、前記用紙固定枠は、蝶番で連結されて跳ね上げ自在となっているものが好ましい。
【００１０】
また、その他の好ましい実施形態によれば、前記盤体の両側縁部には壁部が立設されているのが好ましい。
【発明の効果】
【００１１】
本発明の中綴じ製本装置では、上面を用紙のセット面とした盤体の中央部に凹溝を設け、この凹溝内に製本用ホッチキスを固定するとともに、この製本用ホッチキスを挟んで両側には、種々の大きさの用紙の角部に密接可能な直角部が形成された複数対のＬ字状の用紙固定枠を、各々跳ね上げ自在に取り付けたので、種々のサイズの用紙に対して所定の位置に、正確かつ簡単にホッチキスの針打ちをすることができ、この結果、種々のサイズの本を容易に製本できることとなる。
【００１２】
また、前記用紙固定枠の直角部は、セットした用紙の中央部に針打ちするように位置合わせする凹溝の長手方向と直角な第１片部と、用紙の上下方向の所定位置に針打ちするよう位置合わせする凹溝の長手方向と平行な第２片部からなるものとした場合は、用紙の角部を前記直角部に合わせるだけの簡単な手順で種々のサイズの用紙を所定位置に正確に位置合わせすることができる。
【００１３】
また、前記用紙固定枠は、蝶番で連結されて跳ね上げ自在となっているものでは、種々のサイズの用紙に対応して容易に用紙固定枠を選択することができる。
【００１４】
また、前記盤体の両側縁部には壁部が立設されているものでは、この壁部を利用することでより大きなサイズの用紙の位置合わせをすることができ便利である。また、用紙を二つ折りして冊子とする場合のストッパー片として利用することができ便利である。
【図面の簡単な説明】
【００１５】
【図１】本発明の実施の形態を示す斜視図である。
【図２】図１の平面図である。
【図３】図１の平面図である。
【図４】その他の実施の形態を示す斜視図である。
【図５】図４の平面図である。
【図６】その他の実施の形態を示す斜視図である。
【図７】図６の平面図である。
【図８】その他の実施の形態を示す斜視図である。
【発明を実施するための形態】
【００１６】
以下に、図面を参照しつつ本発明の好ましい実施の形態を示す。
図１は、両面印刷した用紙の中央部に針打ちした後、用紙を針の線上に沿って二つ折りして冊子とする場合に用いる中綴じ製本装置を示している。なお、図示のものでは用紙がＡ４サイズ、Ｂ４サイズ、Ａ３サイズの３種類に対応できるよう構成されているが、これに限定されないことは勿論である。
【００１７】
図中、１は木材や合成樹脂からなる四角板状の盤体であり、上面を両面印刷した用紙のセット面としている。この盤体１の中央部には凹溝２が形成されており、この凹溝２内に製本用ホッチキス３（市販品）が収納固定されている。
図示の製本用ホッチキス３は、ベースプレート３ａの基部に支持板３ｂが固定されており、この支持板３ｂの先端にホッチキス本体３ｃが若干浮き上がった状態で装着された構造となっている。また、ベースプレート３ａの先端にはアンビル３ｄが取り付けられている。
【００１８】
前記製本用ホッチキス３を挟んで両側には、セットする用紙の角部に密接可能な直角部４が形成されたＬ字状の用紙固定枠５が設けてある。また、この用紙固定枠５は左右対称に配置されて一対となっており、これを複数対設けてある。図示のものでは、前記用紙固定枠５は、Ａ４の大きさの用紙の角部に密接するＡ４用紙固定枠５ａと、Ｂ４用紙固定枠５ｂの２個の用紙固定枠５が設けてある。なお、それ以外の大きさの用紙に対応できる用紙固定枠５を組み合わせて設けることや、３個以上の用紙固定枠５を設けてもよいことは勿論である。
更に、盤体１の両側縁部には壁部６が立設されており、Ａ３の大きさの用紙の角部に密接できるよう構成されているが、この点については後述する。
【００１９】
また、前記用紙固定枠５は、各々跳ね上げ自在に取り付けられており、盤体１に対して１８０度回動できる構造となっている。図示のものでは、前記用紙固定枠５は蝶番７で連結されて跳ね上げ自在となっている。この蝶番７は、前記凹溝２の長手方向と直交する方向に取り付けてあり、用紙固定枠５が長手方向に跳ね上げ可能となっている。その他、蝶番７を前記凹溝２の長手方向と平行な方向に取り付けて、用紙固定枠５を長手方向と直交する方向に跳ね上げるようにすることもできる。
なお、前記Ａ４用紙固定枠５ａはＢ４用紙固定枠５ｂに対して跳ね上げ可能に取り付けられており、Ｂ４用紙固定枠５ｂは固定板８に対して跳ね上げ可能に取り付けられた構造となっている。
【００２０】
前記用紙固定枠５の直角部４は、製本用ホッチキス３で針打ちする場合に、セットした用紙の中央部に針打ちするように位置合わせするための、盤体１の凹溝２の長手方向と直角な方向の第１片部４ａと、用紙の上下方向の所定位置に針打ちするよう位置合わせするための、前記凹溝２の長手方向と平行な方向の第２片部４ｂからなるものである。
この直角部４の第１片部４ａと第２片部４ｂは、用紙の所定の位置に正確にホッチキスの針打ちができるように用紙を簡単にセットするためのものである。
【００２１】
次に、以上のように構成した中綴じ製本装置を用いて製本する手順につき説明する。
製本の手順は、両面印刷が施されたＡ４用紙の中央部にホッチキスで針打ちした後、用紙を針の線上に沿って二つ折りし冊子とするものであり、従来の手順と基本的には同じであるが、本発明の装置を使用した場合は前記針打ちの作業を正確かつ簡単に行うことが可能となる。
【００２２】
図１〜図３は、Ａ４用紙に針打ちする場合を示している。この時、用紙固定枠５はＡ４用紙固定枠５ａとＢ４用紙固定枠５ｂの２個ともに盤体１の上面に載置された状態となっている。図２に示されるように、Ａ４用紙を縦長の状態で、その左上角部をＡ４用紙固定枠５ａの直角部４に密接するように置くと、第１片部４ａが用紙の中央部に針打ちするように位置合わせを行う。また、第２片部４ｂが冊子になった場合の上下方向の所定位置に針打ちするよう位置合わせを自動的に行う。この結果、アンビル３ｄの位置がＡ４用紙を二つ折りした場合の折れ線上であって、かつ右側端部から所定長さだけ内側に入った所定位置となるため、この状態でホッチキス本体３ｃを作動すると、Ａ４用紙の中央部の所定位置に針打ちされることとなる。
【００２３】
次いで、図３に示されるように、Ａ４用紙を右側へスライド移動して、その右上角部をＡ４用紙固定枠５ａの直角部４に密接するように置くと、アンビル３ｄの位置が用紙を二つ折りした場合の折れ線上であって、かつ左側端部から所定長さだけ内側に入った所定位置となる。この状態でホッチキス本体３ｃを作動すると、Ａ４用紙の中央部の所定位置に針打ちされることとなる。
その後、Ａ４用紙を針の線上に沿って二つ折りして冊子とすれば、Ａ５サイズに製本した冊子が得られることとなる。
【００２４】
図４〜図５は、Ｂ４用紙に針打ちする場合を示している。この時、用紙固定枠５はＢ４用紙固定枠５ｂが盤体１の上面に載置された状態となっているが、Ａ４用紙固定枠５ａは蝶番７を中心に回動して１８０度跳ね上げられた状態となっている。
図５に示されるように、Ｂ４用紙を縦長の状態で、その左上角部をＢ４用紙固定枠５ｂの直角部４に密接するように置くと、第１片部４ａが用紙の中央部に針打ちするように位置合わせを行い、また第２片部４ｂが冊子になった場合の上下方向の所定位置に針打ちするよう位置合わせを自動的に行うので、アンビル３ｄの位置がＢ４用紙を二つ折りした場合の折れ線上であって、かつ右側端部から所定長さだけ内側に入った所定位置となる。この状態でホッチキス本体３ｃを作動すると、Ｂ４用紙の中央部の所定位置に針打ちされることとなる。
【００２５】
次いで、Ｂ４用紙を右側へスライド移動して、その右上角部をＢ４用紙固定枠５ｂの直角部４に密接するように置くと、アンビル３ｄの位置がＢ４用紙を二つ折りした場合の折れ線上であって、かつ左側端部から所定長さだけ内側に入った所定位置となる（図示せず）。この状態でホッチキス本体３ｃを作動すると、Ｂ４用紙の中央部の所定位置に針打ちされることとなる。
その後、Ｂ４用紙を針の線上に沿って二つ折りして冊子とすれば、Ｂ５サイズに製本した冊子が得られることとなる。
【００２６】
図６〜図７は、Ａ３用紙に針打ちする場合を示している。この時、用紙固定枠５はＡ４用紙固定枠５ａとＢ４用紙固定枠５ｂの２個ともに１８０度跳ね上げられた状態となっている。
図７に示されるように、Ａ３用紙を縦長の状態で、その左上角部を壁部６と固定板８とで形成される直角部４に密接するように置くと、前記固定板８が用紙の中央部に針打ちするように位置合わせを行い、また壁部６が冊子になった場合の上下方向の所定位置に針打ちするよう位置合わせを自動的に行うので、アンビル３ｄの位置が用紙を二つ折りした場合の折れ線上であって、かつ右側端部から所定長さだけ内側に入った所定位置となる。この状態でホッチキス本体３ｃを作動すると、Ａ３用紙の中央部の所定位置に針打ちされることとなる。
【００２７】
次いで、Ａ３用紙を右側へスライド移動して、その右上角部を壁部６と固定板８とで形成される直角部４に密接するように置くと、アンビル３ｄの位置が用紙を二つ折りした場合の折れ線上であって、かつ左側端部から所定長さだけ内側に入った所定位置となる（図示せず）。この状態でホッチキス本体３ｃを作動すると、Ａ３用紙の中央部の所定位置に針打ちされることとなる。
その後、Ａ３用紙を針の線上に沿って二つ折りして冊子とすれば、Ａ４サイズに製本した冊子が得られることとなる。
【００２８】
なお、図８は針打ちした用紙を針の線上に沿って二つ折りする工程を示すものであるが、用紙の端縁を壁部６に押し当てるようにして上から丸棒２０で押圧すれば、確実かつ簡単に二つ折りすることができる。この場合、前記丸棒２０として木材、合成樹脂、金属、ガラスなど種々の材質のものを使用したが、ガラスからなるものが最も滑らかに二つ折りできることが判明した。
【符号の説明】
【００２９】
１  盤体
２  凹溝
３  製本用ホッチキス
３ａ  ベースプレート
３ｂ  支持板
３ｃ  ホッチキス本体
３ｄ  アンビル
４  直角部
４ａ  第１片部
４ｂ  第２片部
５  用紙固定枠
５ａ  Ａ４用紙固定枠
５ｂ  Ｂ４用紙固定枠
６  壁部
７  蝶番
８  固定板
２０  丸棒
【図１】
0006605314.tif 000002
【図２】
0006605314.tif 000003
【図３】
0006605314.tif 000004
【図４】
0006605314.tif 000005
【図５】
0006605314.tif 000006
【図６】
0006605314.tif 000007
【図７】
0006605314.tif 000008
【図８】
0006605314.tif 000009